【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムであって、
前記画像形成装置は、
前記記憶媒体から認証情報を読み取る読取手段と、
前記ユーザ情報の入力を受け付けるユーザ情報受付手段と、
当該画像形成装置への利用許可を得るべく、前記読取手段で読み取られた認証情報を前記第１の認証サーバに送信する第１の送信手段と、
前記第１の送信手段により送信された前記認証情報が認証された場合に、当該画像形成装置の利用を許可する許可手段と、
前記読取手段で読み取った認証情報を第１の認証サーバに追加登録するために、前記ユーザ情報受付手段で受け付けたユーザ情報を前記第２の認証サーバに送信するユーザ認証要求手段と、
前記ユーザ認証要求手段に従って認証が成功した場合に前記読取手段で認証情報を読み取り、前記認証されたユーザ情報と対応付けて追加登録するべく、当該読み取った認証情報と前記認証されたユーザ情報とを前記第１の認証サーバに送信する第２の送信手段とを備え、
前記第１の認証サーバは、
前記画像形成装置の利用許可を得るための前記認証情報を受信する第１の受信手段と、
当該第１の認証サーバに追加登録するための前記認証情報と前記ユーザ情報とを前記画像形成装置から受信する第２の受信手段と、
前記第１の受信手段により認証情報を受信した場合、当該認証情報を用いて前記画像形成装置の利用の許可をする認証処理手段と、
前記第２の受信手段により認証情報とユーザ情報を受信した場合、前記認証情報が前記記憶部に記憶されているか否かを判定する記憶判定手段と、
前記記憶判定手段により前記認証情報が記憶されていないと判定される場合には、前記認証情報を用いて前記画像形成装置の利用許可をするべく、前記認証情報を前記第２の受信手段により受信した前記ユーザ情報に従って、前記記憶部に予め記憶されているユーザ情報に対して追加登録する登録手段と
を備えることを特徴とする認証情報管理システム。
【請求項２】
前記画像形成装置は、
前記ユーザ認証要求手段に従って認証が成功した場合に、前記認証情報を追加登録するための登録モードを選択する登録モード選択手段を更に備え、
前記第２の送信手段は、前記登録モードが選択された場合に前記読取手段で読み取った認証情報を送信することを特徴とする請求項１に記載の認証情報管理システム。
【請求項３】
前記画像形成装置は、
前記ユーザ認証要求手段に従って認証が成功した場合に、前記第１の認証サーバから認証情報を削除するための削除モードを選択する削除モード選択手段と、
前記削除モードが選択された場合に、前記認証されたユーザ情報を前記第１の認証サーバに送信して、前記第１の認証サーバから当該ユーザ情報に対応する認証情報を受信する認証情報受信手段と、
前記認証情報受信手段で受信した認証情報を一覧表示する認証情報表示手段と、
前記認証情報表示手段で一覧表示した認証情報を、前記第１の認証サーバから削除するべく削除要求する削除要求手段とを更に備え、
前記第１の認証サーバは、
前記画像形成装置から、前記ユーザ情報を受信した場合に、当該ユーザ情報に対応付けて記憶されている認証情報を前記記憶部から取得する認証情報取得手段と、
前記認証情報取得手段で取得した認証情報を前記画像形成装置に送信する認証情報送信手段と、
前記画像形成装置で削除要求された場合に、前記認証情報送信手段で送信した認証情報を削除する削除手段と
を更に備えることを特徴とする請求項１又は２に記載の認証情報管理システム。
【請求項４】
前記画像形成装置は、
前記認証情報表示手段で一覧表示された認証情報から削除する認証情報を選択する認証情報選択手段を更に備え、
前記削除要求手段は、前記認証情報選択手段で選択された認証情報の削除要求をし、
前記削除手段は、前記画像形成装置で削除要求された認証情報のみを削除することを特徴とする請求項３に記載の認証情報管理システム。
【請求項５】
前記削除要求手段で、前記認証情報選択手段で選択された認証情報の削除要求する場合に、前記読取手段で記憶媒体から認証情報を読み取り、前記認証情報選択手段で選択された認証情報と当該記憶媒体から読み取られた認証情報とを比較する比較手段を更に備え、
前記削除要求手段は、前記比較手段で認証情報が一致した場合に、選択された認証情報の削除要求をすることを特徴とする請求項４に記載の認証情報管理システム。
【請求項６】
前記画像形成装置は、
前記登録モードが選択された場合、前記読取手段で読み取られた認証情報に対応する任意の名称を入力する認証情報名称入力手段を更に備え、
前記第２の送信手段は、前記認証されたユーザ情報に対応付けて追加登録するべく、前記認証情報と前記認証情報名称入力手段で入力した認証情報名称と前記認証されたユーザ情報とを前記第１の認証サーバに送信することを特徴とする請求項２に記載の認証情報管理システム。
【請求項７】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置であって、
前記記憶媒体から認証情報を読み取る読取手段と、
前記ユーザ情報の入力を受け付けるユーザ情報受付手段と、
当該画像形成装置への利用許可を得るべく、前記読取手段で読み取られた認証情報を前記第１の認証サーバに送信する第１の送信手段と、
前記第１の送信手段により送信された前記認証情報が認証された場合に、当該画像形成装置の利用を許可する許可手段と、
前記読取手段で読み取った認証情報を第１の認証サーバに追加登録するために、前記ユーザ情報受付手段で受け付けたユーザ情報を前記第２の認証サーバに送信するユーザ認証要求手段と、
前記ユーザ認証要求手段に従って認証が成功した場合に前記読取手段で認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信手段と
を備えることを特徴とする画像形成装置。
【請求項８】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムにおける認証情報管理方法であって、
前記画像形成装置が、
前記記憶媒体から認証情報を読み取る読取ステップと、
前記ユーザ情報の入力を受け付けるユーザ情報受付ステップと、
当該画像形成装置への利用許可を得るべく、前記読取ステップで読み取られた認証情報を前記第１の認証サーバに送信する第１の送信ステップと、
前記第１の送信ステップにより送信された前記認証情報が認証された場合に、当該画像形成装置の利用を許可する許可ステップと、
前記読取ステップで読み取った認証情報を第１の認証サーバに追加登録するために、前記ユーザ情報受付ステップで受け付けたユーザ情報を前記第２の認証サーバに送信するユーザ認証要求ステップと、
前記ユーザ認証要求ステップに従って認証が成功した場合に前記読取ステップで認証情報を読み取り、前記認証されたユーザ情報と対応付けて追加登録するべく、当該読み取った認証情報と前記認証されたユーザ情報とを前記第１の認証サーバに送信する第２の送信ステップとを実行し、
前記第１の認証サーバが、
前記画像形成装置の利用許可を得るための前記認証情報を受信する第１の受信ステップと、
当該第１の認証サーバに追加登録するための前記認証情報と前記ユーザ情報とを前記画像形成装置から受信する第２の受信ステップと、
前記第１の受信ステップにより認証情報を受信した場合、当該認証情報を用いて前記画像形成装置の利用の許可をする認証処理ステップと、
前記第２の受信ステップにより認証情報とユーザ情報を受信した場合、前記認証情報が前記記憶部に記憶されているか否かを判定する記憶判定ステップと、
前記記憶判定ステップにより前記認証情報が記憶されていないと判定される場合には、前記認証情報を用いて前記画像形成装置の利用許可をするべく、前記認証情報を前記第２の受信ステップにより受信した前記ユーザ情報に従って、前記記憶部に予め記憶されているユーザ情報に対して追加登録する登録ステップと
を実行することを特徴とする認証情報管理方法。
【請求項９】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置における認証情報管理方法であって、
前記画像形成装置が、
前記記憶媒体から認証情報を読み取る読取ステップと、
前記ユーザ情報の入力を受け付けるユーザ情報受付ステップと、
当該画像形成装置への利用許可を得るべく、前記読取ステップで読み取られた認証情報を前記第１の認証サーバに送信する第１の送信ステップと、
前記第１の送信ステップにより送信された前記認証情報が認証された場合に、当該画像形成装置の利用を許可する許可ステップと、
前記読取ステップで読み取った認証情報を第１の認証サーバに追加登録するために、前記ユーザ情報受付ステップで受け付けたユーザ情報を前記第２の認証サーバに送信するユーザ認証要求ステップと、
前記ユーザ認証要求ステップに従って認証が成功した場合に前記読取ステップで認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信ステップと
を実行することを特徴とする認証情報管理方法。
【請求項１０】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムで実行可能な認証情報管理プログラムであって、
前記画像形成装置を、
前記記憶媒体から認証情報を読み取る読取手段と、
前記ユーザ情報の入力を受け付けるユーザ情報受付手段と、
当該画像形成装置への利用許可を得るべく、前記読取手段で読み取られた認証情報を前記第１の認証サーバに送信する第１の送信手段と、
前記第１の送信手段により送信された前記認証情報が認証された場合に、当該画像形成装置の利用を許可する許可手段と、
前記読取手段で読み取った認証情報を第１の認証サーバに追加登録するために、前記ユーザ情報受付手段で受け付けたユーザ情報を前記第２の認証サーバに送信するユーザ認証要求手段と、
前記ユーザ認証要求手段に従って認証が成功した場合に前記読取手段で認証情報を読み取り、前記認証されたユーザ情報と対応付けて追加登録するべく、当該読み取った認証情報と前記認証されたユーザ情報とを前記第１の認証サーバに送信する第２の送信手段として機能させ、
前記第１の認証サーバを、
前記画像形成装置の利用許可を得るための前記認証情報を受信する第１の受信手段と、
当該第１の認証サーバに追加登録するための前記認証情報と前記ユーザ情報とを前記画像形成装置から受信する第２の受信手段と、
前記第１の受信手段により認証情報を受信した場合、当該認証情報を用いて前記画像形成装置の利用の許可をする認証処理手段と、
前記第２の受信手段により認証情報とユーザ情報を受信した場合、前記認証情報が前記記憶部に記憶されているか否かを判定する記憶判定手段と、
前記記憶判定手段により前記認証情報が記憶されていないと判定される場合には、前記認証情報を用いて前記画像形成装置の利用許可をするべく、前記認証情報を前記第２の受信手段により受信した前記ユーザ情報に従って、前記記憶部に予め記憶されているユーザ情報に対して追加登録する登録手段と
して機能させることを特徴とする認証情報管理プログラム。
【請求項１１】
ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置で実行可能な認証情報管理プログラムであって、
前記画像形成装置を、
前記記憶媒体から認証情報を読み取る読取手段と、
前記ユーザ情報の入力を受け付けるユーザ情報受付手段と、
当該画像形成装置への利用許可を得るべく、前記読取手段で読み取られた認証情報を前記第１の認証サーバに送信する第１の送信手段と、
前記第１の送信手段により送信された前記認証情報が認証された場合に、当該画像形成装置の利用を許可する許可手段と、
前記読取手段で読み取った認証情報を第１の認証サーバに追加登録するために、前記ユーザ情報受付手段で受け付けたユーザ情報を前記第２の認証サーバに送信するユーザ認証要求手段と、
前記ユーザ認証要求手段に従って認証が成功した場合に前記読取手段で認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信手段と
して機能させることを特徴とする認証情報管理プログラム。
【手続補正２】
【補正対象書類名】明細書
【補正対象項目名】０００５
【補正方法】変更
【補正の内容】
【０００５】
前述した目的を達成するために第１の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムであって、前記画像形成装置は、前記記憶媒体から認証情報を読み取る読取手段と、前記ユーザ情報の入力を受け付けるユーザ情報受付手段と、当該画像形成装置への利用許可を得るべく、前記読取手段で読み取られた認証情報を前記第１の認証サーバに送信する第１の送信手段と、前記第１の送信手段により送信された前記認証情報が認証された場合に、当該画像形成装置の利用を許可する許可手段と、前記読取手段で読み取った認証情報を第１の認証サーバに追加登録するために、前記ユーザ情報受付手段で受け付けたユーザ情報を前記第２の認証サーバに送信するユーザ認証要求手段と、前記ユーザ認証要求手段に従って認証が成功した場合に前記読取手段で認証情報を読み取り、前記認証されたユーザ情報と対応付けて追加登録するべく、当該読み取った認証情報と前記認証されたユーザ情報とを前記第１の認証サーバに送信する第２の送信手段とを備え、前記第１の認証サーバは、前記画像形成装置の利用許可を得るための前記認証情報を受信する第１の受信手段と、当該第１の認証サーバに追加登録するための前記認証情報と前記ユーザ情報とを前記画像形成装置から受信する第２の受信手段と、前記第１の受信手段により認証情報を受信した場合、当該認証情報を用いて前記画像形成装置の利用の許可をする認証処理手段と、前記第２の受信手段により認証情報とユーザ情報を受信した場合、前記認証情報が前記記憶部に記憶されているか否かを判定する記憶判定手段と、前記記憶判定手段により前記認証情報が記憶されていないと判定される場合には、前記認証情報を用いて前記画像形成装置の利用許可をするべく、前記認証情報を前記第２の受信手段により受信した前記ユーザ情報に従って、前記記憶部に予め記憶されているユーザ情報に対して追加登録する登録手段とを備えることを特徴とする認証情報管理システムである。
【手続補正３】
【補正対象書類名】明細書
【補正対象項目名】０００６
【補正方法】変更
【補正の内容】
【０００６】
第１の発明の画像形成装置は、前記ユーザ認証要求手段に従って認証が成功した場合に、前記認証情報を追加登録するための登録モードを選択する登録モード選択手段を更に備え、前記第２の送信手段は、前記登録モードが選択された場合に前記読取手段で読み取った認証情報を送信することを特徴とする。
【手続補正４】
【補正対象書類名】明細書
【補正対象項目名】０００７
【補正方法】変更
【補正の内容】
【０００７】
第１の発明の画像形成装置は、前記ユーザ認証要求手段に従って認証が成功した場合に、前記第１の認証サーバから認証情報を削除するための削除モードを選択する削除モード選択手段と、前記削除モードが選択された場合に、前記認証されたユーザ情報を前記第１の認証サーバに送信して、前記第１の認証サーバから当該ユーザ情報に対応する認証情報を受信する認証情報受信手段と、前記認証情報受信手段で受信した認証情報を一覧表示する認証情報表示手段と、前記認証情報表示手段で一覧表示した認証情報を、前記第１の認証サーバから削除するべく削除要求する削除要求手段とを更に備え、前記第１の認証サーバは、前記画像形成装置から、前記ユーザ情報を受信した場合に、当該ユーザ情報に対応付けて記憶されている認証情報を前記記憶部から取得する認証情報取得手段と、前記認証情報取得手段で取得した認証情報を前記画像形成装置に送信する認証情報送信手段と、前記画像形成装置で削除要求された場合に、前記認証情報送信手段で送信した認証情報を削除する削除手段とを更に備えることを特徴とする。
【手続補正５】
【補正対象書類名】明細書
【補正対象項目名】０００８
【補正方法】変更
【補正の内容】
【０００８】
第１の発明の画像形成装置は、前記認証情報表示手段で一覧表示された認証情報から削除する認証情報を選択する認証情報選択手段を更に備え、前記削除要求手段は、前記認証情報選択手段で選択された認証情報の削除要求をし、前記削除手段は、前記画像形成装置で削除要求された認証情報のみを削除することを特徴とする。
【手続補正６】
【補正対象書類名】明細書
【補正対象項目名】０００９
【補正方法】変更
【補正の内容】
【０００９】
第１の発明の画像形成装置は、前記削除要求手段で、前記認証情報選択手段で選択された認証情報の削除要求する場合に、前記読取手段で記憶媒体から認証情報を読み取り、前記認証情報選択手段で選択された認証情報と当該記憶媒体から読み取られた認証情報とを比較する比較手段を更に備え、前記削除要求手段は、前記比較手段で認証情報が一致した場合に、選択された認証情報の削除要求をすることを特徴とする。
【手続補正７】
【補正対象書類名】明細書
【補正対象項目名】００１０
【補正方法】変更
【補正の内容】
【００１０】
第１の発明の画像形成装置は、前記登録モードが選択された場合、前記読取手段で読み取られた認証情報に対応する任意の名称を入力する認証情報名称入力手段を更に備え、前記第２の送信手段は、前記認証されたユーザ情報に対応付けて追加登録するべく、前記認証情報と前記認証情報名称入力手段で入力した認証情報名称と前記認証されたユーザ情報とを前記第１の認証サーバに送信することを特徴とする。
【手続補正８】
【補正対象書類名】明細書
【補正対象項目名】００１１
【補正方法】変更
【補正の内容】
【００１１】
前述した目的を達成するために第２の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置であって、前記記憶媒体から認証情報を読み取る読取手段と、前記ユーザ情報の入力を受け付けるユーザ情報受付手段と、当該画像形成装置への利用許可を得るべく、前記読取手段で読み取られた認証情報を前記第１の認証サーバに送信する第１の送信手段と、前記第１の送信手段により送信された前記認証情報が認証された場合に、当該画像形成装置の利用を許可する許可手段と、前記読取手段で読み取った認証情報を第１の認証サーバに追加登録するために、前記ユーザ情報受付手段で受け付けたユーザ情報を前記第２の認証サーバに送信するユーザ認証要求手段と、前記ユーザ認証要求手段に従って認証が成功した場合に前記読取手段で認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信手段とを備えることを特徴とする画像形成装置である。
【手続補正９】
【補正対象書類名】明細書
【補正対象項目名】００１２
【補正方法】変更
【補正の内容】
【００１２】
前述した目的を達成するために第３の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムにおける認証情報管理方法であって、前記画像形成装置が、前記記憶媒体から認証情報を読み取る読取ステップと、前記ユーザ情報の入力を受け付けるユーザ情報受付ステップと、当該画像形成装置への利用許可を得るべく、前記読取ステップで読み取られた認証情報を前記第１の認証サーバに送信する第１の送信ステップと、前記第１の送信ステップにより送信された前記認証情報が認証された場合に、当該画像形成装置の利用を許可する許可ステップと、前記読取ステップで読み取った認証情報を第１の認証サーバに追加登録するために、前記ユーザ情報受付ステップで受け付けたユーザ情報を前記第２の認証サーバに送信するユーザ認証要求ステップと、前記ユーザ認証要求ステップに従って認証が成功した場合に前記読取ステップで認証情報を読み取り、前記認証されたユーザ情報と対応付けて追加登録するべく、当該読み取った認証情報と前記認証されたユーザ情報とを前記第１の認証サーバに送信する第２の送信ステップとを実行し、前記第１の認証サーバが、前記画像形成装置の利用許可を得るための前記認証情報を受信する第１の受信ステップと、当該第１の認証サーバに追加登録するための前記認証情報と前記ユーザ情報とを前記画像形成装置から受信する第２の受信ステップと、前記第１の受信ステップにより認証情報を受信した場合、当該認証情報を用いて前記画像形成装置の利用の許可をする認証処理ステップと、前記第２の受信ステップにより認証情報とユーザ情報を受信した場合、前記認証情報が前記記憶部に記憶されているか否かを判定する記憶判定ステップと、前記記憶判定ステップにより前記認証情報が記憶されていないと判定される場合には、前記認証情報を用いて前記画像形成装置の利用許可をするべく、前記認証情報を前記第２の受信ステップにより受信した前記ユーザ情報に従って、前記記憶部に予め記憶されているユーザ情報に対して追加登録する登録ステップとを実行することを特徴とする認証情報管理方法である。
【手続補正１０】
【補正対象書類名】明細書
【補正対象項目名】００１３
【補正方法】変更
【補正の内容】
【００１３】
前述した目的を達成するために第４の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置における認証情報管理方法であって、前記画像形成装置が、前記記憶媒体から認証情報を読み取る読取ステップと、前記ユーザ情報の入力を受け付けるユーザ情報受付ステップと、当該画像形成装置への利用許可を得るべく、前記読取ステップで読み取られた認証情報を前記第１の認証サーバに送信する第１の送信ステップと、前記第１の送信ステップにより送信された前記認証情報が認証された場合に、当該画像形成装置の利用を許可する許可ステップと、前記読取ステップで読み取った認証情報を第１の認証サーバに追加登録するために、前記ユーザ情報受付ステップで受け付けたユーザ情報を前記第２の認証サーバに送信するユーザ認証要求ステップと、前記ユーザ認証要求ステップに従って認証が成功した場合に前記読取ステップで認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信ステップとを実行することを特徴とする認証情報管理方法である。
【手続補正１１】
【補正対象書類名】明細書
【補正対象項目名】００１４
【補正方法】変更
【補正の内容】
【００１４】
前述した目的を達成するために第５の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと、前記記憶媒体を読み取ることが可能な画像形成装置と通信可能な認証情報管理システムで実行可能な認証情報管理プログラムであって、前記画像形成装置を、前記記憶媒体から認証情報を読み取る読取手段と、前記ユーザ情報の入力を受け付けるユーザ情報受付手段と、当該画像形成装置への利用許可を得るべく、前記読取手段で読み取られた認証情報を前記第１の認証サーバに送信する第１の送信手段と、前記第１の送信手段により送信された前記認証情報が認証された場合に、当該画像形成装置の利用を許可する許可手段と、前記読取手段で読み取った認証情報を第１の認証サーバに追加登録するために、前記ユーザ情報受付手段で受け付けたユーザ情報を前記第２の認証サーバに送信するユーザ認証要求手段と、前記ユーザ認証要求手段に従って認証が成功した場合に前記読取手段で認証情報を読み取り、前記認証されたユーザ情報と対応付けて追加登録するべく、当該読み取った認証情報と前記認証されたユーザ情報とを前記第１の認証サーバに送信する第２の送信手段として機能させ、前記第１の認証サーバを、前記画像形成装置の利用許可を得るための前記認証情報を受信する第１の受信手段と、当該第１の認証サーバに追加登録するための前記認証情報と前記ユーザ情報とを前記画像形成装置から受信する第２の受信手段と、前記第１の受信手段により認証情報を受信した場合、当該認証情報を用いて前記画像形成装置の利用の許可をする認証処理手段と、前記第２の受信手段により認証情報とユーザ情報を受信した場合、前記認証情報が前記記憶部に記憶されているか否かを判定する記憶判定手段と、前記記憶判定手段により前記認証情報が記憶されていないと判定される場合には、前記認証情報を用いて前記画像形成装置の利用許可をするべく、前記認証情報を前記第２の受信手段により受信した前記ユーザ情報に従って、前記記憶部に予め記憶されているユーザ情報に対して追加登録する登録手段として機能させることを特徴とする認証情報管理プログラムである。
【手続補正１２】
【補正対象書類名】明細書
【補正対象項目名】００１５
【補正方法】変更
【補正の内容】
【００１５】
前述した目的を達成するために第６の発明は、ユーザを識別するためのユーザ情報に、記憶媒体に含まれる認証情報を複数対応付けて記憶部に記憶することが可能な記憶媒体を認証するための第１の認証サーバと、ユーザ認証する第２の認証サーバと通信可能な、前記記憶媒体を読み取ることが可能な画像形成装置で実行可能な認証情報管理プログラムであって、前記画像形成装置を、前記記憶媒体から認証情報を読み取る読取手段と、前記ユーザ情報の入力を受け付けるユーザ情報受付手段と、当該画像形成装置への利用許可を得るべく、前記読取手段で読み取られた認証情報を前記第１の認証サーバに送信する第１の送信手段と、前記第１の送信手段により送信された前記認証情報が認証された場合に、当該画像形成装置の利用を許可する許可手段と、前記読取手段で読み取った認証情報を第１の認証サーバに追加登録するために、前記ユーザ情報受付手段で受け付けたユーザ情報を前記第２の認証サーバに送信するユーザ認証要求手段と、前記ユーザ認証要求手段に従って認証が成功した場合に前記読取手段で認証情報を読み取り、当該読み取った認証情報が第１の認証サーバに記憶されていない場合に前記認証されたユーザ情報と対応付けて追加登録するべく、当該読み取った認証情報と前記認証されたユーザ情報とを前記第１の認証サーバに送信する第２の送信手段として機能させることを特徴とする認証情報管理プログラムである。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】